(57)【要約】【課題】貨幣処理装置の水平方向における向きを容易に変えることができる貨幣処理システムを提供する。【解決手段】貨幣処理システムは、貨幣の処理を行う貨幣処理装置（例えば、硬貨処理装置１）と、貨幣処理装置が載置され、当該貨幣処理装置の水平方向における向きを変える向き変更機構が設けられた架台９０とを備えている。【選択図】図５
2017204153.tif 000002
【特許請求の範囲】
【請求項１】
貨幣の処理を行う貨幣処理装置と、
前記貨幣処理装置が載置され、当該貨幣処理装置の水平方向における向きを変える向き変更機構が設けられた架台と、
を備えた、貨幣処理システム。
【請求項２】
前記架台に対する前記貨幣処理装置の向きを検知する向き検知部を更に備えた、請求項１記載の貨幣処理システム。
【請求項３】
前記向き変更機構は、鉛直方向に延びる軸を中心として前記貨幣処理装置を回転させる回転機構を含む、請求項１または２記載の貨幣処理システム。
【請求項４】
前記回転機構は、前記貨幣処理装置の水平方向における向きを１８０°変えることができるようになっている、請求項３記載の貨幣処理システム。
【請求項５】
前記架台には、前記貨幣処理装置を水平方向にスライドさせるスライド機構が設けられている、請求項１乃至４のいずれか一項に記載の貨幣処理システム。
【請求項６】
２つの前記貨幣処理装置が隣接して配置されており、少なくとも一方の前記貨幣処理装置が、前記向き変更機構が設けられた前記架台に載置されている、請求項１乃至４のいずれか一項に記載の貨幣処理システム。
【請求項７】
２つの前記貨幣処理装置として硬貨処理装置および紙幣処理装置が隣接して配置されており、前記硬貨処理装置が、前記向き変更機構が設けられた前記架台に載置されている、請求項６記載の貨幣処理システム。
【請求項８】
各前記貨幣処理装置の上面の高さレベルが略同一の大きさとなっている、請求項６または７記載の貨幣処理システム。
【請求項９】
２つの前記貨幣処理装置が同じ向きに配置される場合にこれらの２つの前記貨幣処理装置における貨幣の投入口および投出口に近い側である前面が揃うようになっている、請求項６乃至８のいずれか一項に記載の貨幣処理システム。
【請求項１０】
少なくとも一方の前記貨幣処理装置が載置される前記架台には、当該貨幣処理装置を水平方向にスライドさせるスライド機構が設けられており、２つの前記貨幣処理装置が逆の向きに配置される場合にこれらの２つの前記貨幣処理装置における顧客側の側面が揃うようになっている、請求項６乃至９のいずれか一項に記載の貨幣処理システム。
【請求項１１】
前記向き変更機構および前記スライド機構が設けられた前記架台に載置される前記貨幣処理装置は、２つの前記貨幣処理装置が逆の向きに配置される場合にこれらの２つの前記貨幣処理装置における顧客側の側面が揃う第１位置と、２つの前記貨幣処理装置が同じ向きに配置される場合にこれらの２つの前記貨幣処理装置における貨幣の投入口および投出口に近い側である前面が揃う第２位置と、水平方向における向きを前記向き変更機構により変えることができる第３位置との間で前記スライド機構によりスライドするようになっている、請求項１０記載の貨幣処理システム。
【請求項１２】
２つの前記貨幣処理装置を接続するための配線が設けられており、
前記配線は、前記向き変更機構が設けられた前記架台と当該架台に載置される前記貨幣処理装置との間で前記向き変更機構を介して受け渡されるようになっている、請求項６乃至１１のいずれか一項に記載の貨幣処理システム。
【請求項１３】
前記架台に対する前記貨幣処理装置の向きに応じて異なる態様で貨幣の処理を行う、請求項１乃至１２のいずれか一項に記載の貨幣処理システム。
【請求項１４】
前記貨幣処理装置が係員側を向いている場合には貨幣の装填処理を行うことができるが前記貨幣処理装置が顧客側を向いている場合には貨幣の装填処理を行うことができないようになっている、請求項１３記載の貨幣処理システム。
【請求項１５】
前記貨幣処理装置が係員側を向いている場合にはオーバーフロー貨幣を収納するオーバーフロー貨幣収納部を使用することができないが前記貨幣処理装置が顧客側を向いている場合には前記オーバーフロー貨幣収納部を使用することができるようになっている、請求項１３記載の貨幣処理システム。
【請求項１６】
前記貨幣処理装置が係員側を向いている場合には貨幣の入金開始の指令が受け付けられないと貨幣の入金処理を開始することができないが前記貨幣処理装置が顧客側を向いている場合には投入部に貨幣が投入されると貨幣の入金処理を開始することができるようになっている、請求項１３記載の貨幣処理システム。
【請求項１７】
前記貨幣処理装置が係員側を向いている場合には筐体の内部に投入された偽貨幣を偽貨幣収納部以外の箇所にも送ることができるようになっているが前記貨幣処理装置が顧客側を向いている場合には筐体の内部に投入された偽貨幣を偽貨幣収納部のみに送るようになっている、請求項１３記載の貨幣処理システム。
【請求項１８】
前記貨幣処理装置が係員側を向いている場合には貨幣の投出部に設けられたシャッターが使用されずに当該投出部に常にアクセス可能な状態となっているが前記貨幣処理装置が顧客側を向いている場合には前記シャッターが使用されるようになっている、請求項１３記載の貨幣処理システム。
【請求項１９】
前記貨幣処理装置が係員側を向いている場合には投出部に残存する取り忘れ貨幣が筐体の内部に取り込まれないが前記貨幣処理装置が顧客側を向いている場合には前記投出部に残存する取り忘れ貨幣を前記筐体の内部に取り込むことができるようになっている、請求項１３記載の貨幣処理システム。
【請求項２０】
前記貨幣処理装置が係員側を向いている場合と前記貨幣処理装置が顧客側を向いている場合とで識別部による貨幣の識別結果に基づいて偽貨幣であるか否かを判別する際の閾値が異なるようになっている、請求項１３記載の貨幣処理システム。
【請求項２１】
前記貨幣処理装置が係員側を向いている場合と前記貨幣処理装置が顧客側を向いている場合とで出金可能な貨幣の枚数の上限値が異なるようになっている、請求項１３記載の貨幣処理システム。
【発明の詳細な説明】
【技術分野】
【０００１】
本発明は、紙幣や硬貨等の貨幣の処理を行う貨幣処理システムに関する。
【背景技術】
【０００２】
スーパーマーケットやコンビニエンスストア等の店舗に配置され、売上金としての紙幣や硬貨の入金処理を行うとともに釣銭としての紙幣や硬貨の出金処理を行う貨幣処理システムとして従来から様々なタイプのものが知られている（例えば、特許文献１等参照）。特許文献１に開示される貨幣処理システムでは、紙幣精算装置および硬貨精算装置が隣接して配置されており、これらの紙幣精算装置および硬貨精算装置がＰＯＳレジスタに接続されている。ここで、従来の貨幣処理システムでは、紙幣精算装置および硬貨精算装置は両方とも店舗の係員側に向けて配置されているか、あるいは両方とも顧客側に向けて配置されている。
【先行技術文献】
【特許文献】
【０００３】
【特許文献１】特開２０１３−２０３０１号公報
【発明の概要】
【発明が解決しようとする課題】
【０００４】
紙幣精算装置および硬貨精算装置が隣接して配置されるような貨幣処理システムにおいて、通常時は紙幣精算装置および硬貨精算装置の両方を店舗の係員側に向けて配置しておき、繁忙期の時間帯のみ硬貨精算装置だけを顧客側に向けて配置したいという要望がある。しかしながら、特許文献１に開示されるような従来の貨幣処理システムでは、硬貨精算装置の重量が大きいため当該硬貨精算装置の向きを頻繁に変えることが容易ではなかった。とりわけ、複数の精算装置を並べて配置したり、精算装置を他の機器や壁に隣接して配置した場合には、隣接する他の精算装置や機器等が邪魔になるため、精算装置の向きを変えるのは困難であった。
【０００５】
本発明は、このような点を考慮してなされたものであり、貨幣処理装置の水平方向における向きを容易に変えることができる貨幣処理システムを提供することを目的とする。
【課題を解決するための手段】
【０００６】
本発明の貨幣処理システムは、貨幣の処理を行う貨幣処理装置と、前記貨幣処理装置が載置され、当該貨幣処理装置の水平方向における向きを変える向き変更機構が設けられた架台と、を備えたことを特徴とする。
【０００７】
このような貨幣処理システムによれば、貨幣処理装置が載置される架台には、当該貨幣処理装置の水平方向における向きを変える向き変更機構が設けられているため、貨幣処理装置の水平方向における向きを容易に変えることができる。
【０００８】
本発明の貨幣処理システムは、前記架台に対する前記貨幣処理装置の向きを検知する向き検知部を更に備えていてもよい。
【０００９】
本発明の貨幣処理システムにおいては、前記向き変更機構は、鉛直方向に延びる軸を中心として前記貨幣処理装置を回転させる回転機構を含んでいてもよい。
【００１０】
この場合、前記回転機構は、前記貨幣処理装置の水平方向における向きを１８０°変えることができるようになっていてもよい。
【００１１】
本発明の貨幣処理システムにおいては、前記架台には、前記貨幣処理装置を水平方向にスライドさせるスライド機構が設けられていてもよい。
【００１２】
本発明の貨幣処理システムにおいては、２つの前記貨幣処理装置が隣接して配置されており、少なくとも一方の前記貨幣処理装置が、前記向き変更機構が設けられた前記架台に載置されていてもよい。
【００１３】
この場合、２つの前記貨幣処理装置として硬貨処理装置および紙幣処理装置が隣接して配置されており、前記硬貨処理装置が、前記向き変更機構が設けられた前記架台に載置されていてもよい。
【００１４】
また、各前記貨幣処理装置の上面の高さレベルが略同一の大きさとなっていてもよい。
【００１５】
また、２つの前記貨幣処理装置が同じ向きに配置される場合にこれらの２つの前記貨幣処理装置における貨幣の投入口および投出口に近い側である前面が揃うようになっていてもよい。
【００１６】
また、少なくとも一方の前記貨幣処理装置が載置される前記架台には、当該貨幣処理装置を水平方向にスライドさせるスライド機構が設けられており、２つの前記貨幣処理装置が逆の向きに配置される場合にこれらの２つの前記貨幣処理装置における顧客側の側面が揃うようになっていてもよい。
【００１７】
また、前記向き変更機構および前記スライド機構が設けられた前記架台に載置される前記貨幣処理装置は、２つの前記貨幣処理装置が逆の向きに配置される場合にこれらの２つの前記貨幣処理装置における顧客側の側面が揃う第１位置と、２つの前記貨幣処理装置が同じ向きに配置される場合にこれらの２つの前記貨幣処理装置における貨幣の投入口および投出口に近い側である前面が揃う第２位置と、水平方向における向きを前記向き変更機構により変えることができる第３位置との間で前記スライド機構によりスライドするようになっていてもよい。
【００１８】
また、２つの前記貨幣処理装置を接続するための配線が設けられており、前記配線は、前記向き変更機構が設けられた前記架台と当該架台に載置される前記貨幣処理装置との間で前記向き変更機構を介して受け渡されるようになっていてもよい。
【００１９】
本発明の貨幣処理システムにおいては、前記架台に対する前記貨幣処理装置の向きに応じて異なる態様で貨幣の処理を行うようになっていてもよい。
【００２０】
この場合、前記貨幣処理装置が係員側を向いている場合には貨幣の装填処理を行うことができるが前記貨幣処理装置が顧客側を向いている場合には貨幣の装填処理を行うことができないようになっていてもよい。
【００２１】
また、前記貨幣処理装置が係員側を向いている場合にはオーバーフロー貨幣を収納するオーバーフロー貨幣収納部を使用することができないが前記貨幣処理装置が顧客側を向いている場合には前記オーバーフロー貨幣収納部を使用することができるようになっていてもよい。
【００２２】
また、前記貨幣処理装置が係員側を向いている場合には貨幣の入金開始の指令が受け付けられないと貨幣の入金処理を開始することができないが前記貨幣処理装置が顧客側を向いている場合には投入部に貨幣が投入されると貨幣の入金処理を開始することができるようになっていてもよい。
【００２３】
また、前記貨幣処理装置が係員側を向いている場合には筐体の内部に投入された偽貨幣を偽貨幣収納部以外の箇所にも送ることができるようになっているが前記貨幣処理装置が顧客側を向いている場合には筐体の内部に投入された偽貨幣を偽貨幣収納部のみに送るようになっていてもよい。
【００２４】
また、前記貨幣処理装置が係員側を向いている場合には貨幣の投出部に設けられたシャッターが使用されずに当該投出部に常にアクセス可能な状態となっているが前記貨幣処理装置が顧客側を向いている場合には前記シャッターが使用されるようになっていてもよい。
【００２５】
また、前記貨幣処理装置が係員側を向いている場合には前記投出部に残存する取り忘れ貨幣が筐体の内部に取り込まれないが前記貨幣処理装置が顧客側を向いている場合には前記投出部に残存する取り忘れ貨幣を前記筐体の内部に取り込むことができるようになっていてもよい。
【００２６】
また、前記貨幣処理装置が係員側を向いている場合と前記貨幣処理装置が顧客側を向いている場合とで識別部による貨幣の識別結果に基づいて偽貨幣であるか否かを判別する際の閾値が異なるようになっていてもよい。
【００２７】
また、前記貨幣処理装置が係員側を向いている場合と前記貨幣処理装置が顧客側を向いている場合とで出金可能な貨幣の枚数の上限値が異なるようになっていてもよい。
【発明の効果】
【００２８】
本発明の貨幣処理システムによれば、貨幣処理装置の水平方向における向きを容易に変えることができる。
【図面の簡単な説明】
【００２９】
【図１】本発明の実施の形態による貨幣処理システムの外観を示す斜視図である。
【図２】図１に示す貨幣処理システムにおける硬貨処理装置の内部構成を示す側面図である。
【図３】図１に示す貨幣処理システムにおける硬貨処理装置の内部構成を示す正面図である。
【図４】図１に示す貨幣処理システムにおける紙幣処理装置の内部構成を示す側面図である。
【図５】図１に示す貨幣処理システムにおける硬貨処理装置が載置される架台の構成を示す斜視図である。
【図６】図５に示す架台の側面図である。
【図７】図１に示す貨幣処理システムの制御系の構成を示す機能ブロック図である。
【図８】図１に示す貨幣処理システムの硬貨処理装置の向きを変えるときの動作を示す斜視図である。
【図９】図８に示す状態から引き続く、図１に示す貨幣処理システムの硬貨処理装置の向きを変えるときの動作を示す斜視図である。
【図１０】図９に示す状態から引き続く、図１に示す貨幣処理システムの硬貨処理装置の向きを変えるときの動作を示す斜視図である。
【図１１】図１０に示す状態から引き続く、図１に示す貨幣処理システムの硬貨処理装置の向きを変えるときの動作を示す斜視図である。
【図１２】図１１に示す状態から引き続く、図１に示す貨幣処理システムの硬貨処理装置の向きを変えるときの動作を示す斜視図である。
【図１３】図１に示す貨幣処理システムにおける紙幣処理装置に対する硬貨処理装置の３つの位置を示す側面図である。
【発明を実施するための形態】
【００３０】
以下、図面を参照して本発明の実施の形態について説明する。図１乃至図１３は、本実施の形態に係る貨幣処理システムを示す図である。このうち、図１は、本実施の形態による貨幣処理システムの外観を示す斜視図であり、図２および図３は、それぞれ、図１に示す貨幣処理システムにおける硬貨処理装置の内部構成を示す側面図および正面図であり、図４は、図１に示す貨幣処理システムにおける紙幣処理装置の内部構成を示す側面図である。また、図５は、図１に示す貨幣処理システムにおける硬貨処理装置が載置される架台の構成を示す斜視図であり、図６は、図５に示す架台の側面図である。また、図７は、図１に示す貨幣処理システムの制御系の構成を示す機能ブロック図である。また、図８乃至図１２は、図１に示す貨幣処理システムの硬貨処理装置の向きを変えるときの動作を順に示す斜視図である。また、図１３は、図１に示す貨幣処理システムにおける紙幣処理装置に対する硬貨処理装置の３つの位置を示す側面図である。
【００３１】
本実施の形態による貨幣処理システムは、スーパーマーケットやコンビニエンスストア等の店舗に配置され、売上金としての紙幣や硬貨の入金処理を行うとともに釣銭としての紙幣や硬貨の出金処理を行うものである。図１に示すように、本実施の形態による貨幣処理システムは、左右に並ぶよう配置された硬貨処理装置１および紙幣処理装置１０１を備えている。また、紙幣処理装置１０１にはＰＯＳレジスタ２００がＬＡＮ等により通信可能に接続されている。ここで、ＰＯＳレジスタ２００は、硬貨処理装置１および紙幣処理装置１０１の管理を行う管理装置として用いられるようになっている。また、店舗内に設けられた精算所には、係員側と顧客側とに区切る精算台（テーブルやカウンター）が設置されており、係員は、精算台の一方の側で待機するようになっている。ＰＯＳレジスタ２００は、係員が操作できるように、係員が待機する側に配置されることが多い。一方、顧客は、精算台の他方の側に立ち、購入したい商品を精算台の上に載せる。そして、係員は、精算台の上に載せられた商品の番号や価格をＰＯＳレジスタ２００に登録する。また、係員は、顧客から貨幣を受け取り、貨幣処理システムに投入する。ここで、係員が待機する側を係員側と定義し、顧客が立つ側を顧客側と定義する。また、本実施の形態による貨幣処理システムでは、紙幣処理装置１０１の向きが係員側に向けて固定されているのに対し、硬貨処理装置１の水平方向における向きを１８０°変え、顧客側に向けることができるようになっている。このようにして、硬貨処理装置１の水平方向における向きを顧客側に向けた場合は、顧客が硬貨を硬貨処理装置１に投入することができるようになる。このような貨幣処理システムの詳細について以下に説明する。
【００３２】
まず、硬貨処理装置１の構成の詳細について図２および図３を用いて説明する。なお、図２における筐体１ａ（後述）の左側の側面が硬貨処理装置１の前面側（すなわち、図１に示すように硬貨処理装置１を手前側から見たときの正面側）となっており、図２における右方向が筐体１ａの奥行き方向となっている。また、図３は、図１に示すように硬貨処理装置１を手前側から見たときの当該硬貨処理装置１の内部構成を示す正面図である。
【００３３】
図２および図３に示すように、硬貨処理装置１は、略直方体形状の筐体１ａと、筐体１ａの外部から内部に硬貨を投入するための硬貨投入部１０と、硬貨投入部１０により筐体１ａの内部に投入された硬貨が送られて貯留されるとともに貯留された硬貨を１枚ずつ繰り出す貯留繰出部３０とを備えている。図３に示すように、貯留繰出部３０は、鉛直方向に対して所定角度で傾斜しており傾斜姿勢で回転させられる回転円盤３２と、この回転円盤３２の表面３２ｂとの間に硬貨を貯留する硬貨貯留空間３３を形成するカバー部材３４とを有している。また、本実施の形態では、貯留繰出部３０においてカバー部材３４を開くことができるようになっている。カバー部材３４が開かれると、貯留繰出部３０に残存しているクリップ等の異物が自重により当該貯留繰出部３０から落下して後述する硬貨投出部７２に送られるようになる。また、後述するように、硬貨投出部７２とは別に、リジェクト硬貨を機体外に返却するための返却部（リジェクト部）が硬貨投出部７２の近傍に設けられている場合には、カバー部材３４が開かれることにより貯留繰出部３０から自重により落下したクリップ等の異物が返却部に送られるようになっていてもよい。
【００３４】
また、図２に示すように、筐体１ａ内の上部において、貯留繰出部３０から繰り出された硬貨を１枚ずつ搬送する入金搬送部２０が設けられており、この入金搬送部２０には、当該入金搬送部２０により搬送される硬貨の金種、真偽、正損、新旧、表裏、搬送状態等の識別を行う識別部２２が設けられている。
【００３５】
また、図２に示すように、入金搬送部２０には無端状ベルト２０ｐが設けられている。無端状ベルト２０ｐは複数のプーリに張架されており、一のプーリに取り付けられたモータにより無端状ベルト２０ｐは図２における反時計回りの方向に循環移動させられるようになっている。また、この無端状ベルト２０ｐには複数の突起部材（図示せず）が等間隔で設けられており、一の突起部材に硬貨が１枚引っ掛けられることにより、搬送面上で硬貨が１枚ずつ搬送させられるようになっている。
【００３６】
また、図２に示すように、筐体１ａ内において入金搬送部２０の下方には複数（具体的には６つ）の収納繰出部５０が設けられている。各収納繰出部５０は、識別部２２による硬貨の識別結果に基づいて、入金搬送部２０に設けられた収納選別部２４によりシュート２６を介して当該入金搬送部２０から硬貨が送られて収納されるようになっている。また、入金搬送部２０には、リジェクト硬貨用の選別部であるリジェクト選別部２７が設けられており、識別部２２により偽硬貨（偽物の硬貨）であると判別された硬貨はこのリジェクト選別部２７によりリジェクト硬貨用のシュート（図示せず）を介して後述する硬貨投出部７２に送られるようになっている。また、図示していないが、硬貨投出部７２とは別に、リジェクト硬貨を機体外に返却するための返却部（リジェクト部）が硬貨投出部７２の近傍に設けられていてもよい。この場合には、識別部２２により偽硬貨であると判別された硬貨はリジェクト硬貨としてこのリジェクト選別部２７によりリジェクト硬貨用のシュートを介して返却部に送られるようになる。
【００３７】
また、各収納繰出部５０は、当該収納繰出部５０に収納された硬貨を１枚ずつ繰り出すようになっている。より詳細には、各収納繰出部５０は、鉛直方向に対して所定角度で傾斜しており傾斜姿勢で回転させられる回転円盤５２と、この回転円盤５２の表面５２ｂとの間に硬貨を収納する硬貨収納空間５３を形成するカバー部材５４とを有している。
【００３８】
また、図１および図２に示すように、本実施の形態による硬貨処理装置１には、筐体１ａ外へ硬貨を投出するための硬貨投出部７２が当該筐体１ａの前面に設けられている。操作者は筐体１ａの手前側から硬貨投出部７２の内部に手を入れることができるようになっており、このようにして硬貨投出部７２の内部に貯留されている硬貨を操作者は手で筐体１ａの外部に取り出すことができるようになる。また、硬貨投出部７２には、硬貨の投出口を開閉するためのシャッター（図示せず）が設けられていてもよい。また、筐体１ａ内には、各収納繰出部５０から繰り出された硬貨を硬貨投出部７２に搬送する出金搬送部７０が各収納繰出部５０の側方および下方にまたがるよう設けられている。出金搬送部７０は、各収納繰出部５０の下方に設けられ略水平方向に沿って延びる第１の出金搬送部分７０ａと、第１の出金搬送部分７０ａから送られた硬貨を硬貨投出部７２に搬送する第２の出金搬送部分７０ｂとを有している。また、出金搬送部７０は、複数のプーリに張架された無端状ベルト７０ｐから構成されている。具体的には、１本の無端状ベルト７０ｐが第１の出金搬送部分７０ａおよび第２の出金搬送部分７０ｂにまたがるよう設けられている。そして、一のプーリに取り付けられたモータにより無端状ベルト７０ｐは図２における時計回りおよび反時計回りの両方向に循環移動させられるようになっている。無端状ベルト７０ｐには複数の突起部材（図示せず）が等間隔で設けられており、一の突起部材に硬貨が１枚以上引っ掛けられることにより、無端状ベルト７０ｐにより硬貨が１枚以上ずつ搬送させられるようになっている。
【００３９】
また、図２に示すように、出金搬送部７０の下方には、オーバーフロー硬貨収納部として用いられる回収ボックス（回収部）７８が設けられている。回収ボックス７８は、筐体１ａの下方に設けられた回収ボックス収容部３に対して手前側に水平方向に引き出すことができるようになっている。ここで、無端状ベルト７０ｐが図２における時計回りの方向に循環移動することにより、出金搬送部７０における第１の出金搬送部分７０ａから回収ボックス７８に硬貨が送られるようになっている。そして、回収ボックス７８に硬貨が収納された後、回収ボックス収容部３から回収ボックス７８を手前側に引き出すことにより、硬貨を回収ボックス７８ごと回収することができるようになっている。
【００４０】
また、図２に示すように、本実施の形態による硬貨処理装置１において、入金搬送部２０から各収納繰出部５０を経由することなく出金搬送部７０に硬貨を直接送るためのオーバーフローシュート２５が設けられている。また、入金搬送部２０には、各収納繰出部５０に対応する各シュート２６に送られる硬貨を選別する収納選別部２４とは別に、オーバーフローシュート２５に送られる硬貨を選別するオーバーフロー選別部２３が設けられている。ここで、オーバーフローシュート２５の下端部は出金搬送部７０の無端状ベルト７０ｐの上方に位置するようになっている。このような構成により、入金搬送部２０により搬送される硬貨のうちオーバーフロー選別部２３により選別された硬貨はオーバーフローシュート２５を通って出金搬送部７０の無端状ベルト７０ｐ上に送られるようになる。
【００４１】
このようなオーバーフローシュート２５が設けられていることにより、識別部２２により識別された硬貨の金種に対応する収納繰出部５０がフル状態またはニアフル状態であるときには、入金搬送部２０による硬貨の搬送を停止することなく、その金種に対応する収納繰出部５０がフル状態またはニアフル状態であるような硬貨をオーバーフロー選別部２３により選別してオーバーフローシュート２５により出金搬送部７０の無端状ベルト７０ｐ上に送ることができる。そして、オーバーフローシュート２５により出金搬送部７０の無端状ベルト７０ｐ上に送られた硬貨は、当該無端状ベルト７０ｐにより回収ボックス７８に送られるようになっている。このような構成の硬貨処理装置１では、識別部２２により識別された硬貨の金種に対応する収納繰出部５０がフル状態またはニアフル状態となっても、入金搬送部２０による硬貨の搬送を停止することなく回収ボックス７８に硬貨を送ることができるようになるため、硬貨の処理速度が低下してしまうことを防止することができるようになる。
【００４２】
次に、紙幣処理装置１０１の構成の詳細について図４を用いて説明する。なお、図４における筐体１０１ａ（後述）の右側の側面が紙幣処理装置１０１の前面側（すなわち、図１に示すように紙幣処理装置１０１を手前側から見たときの正面側）となっており、図４における左方向が筐体１０１ａの奥行き方向となっている。
【００４３】
図４に示すように、紙幣処理装置１０１は略直方体形状の筐体１０１ａを有している。また、紙幣処理装置１０１は上部ユニット１０２および下部ユニット１０３を有しており、上部ユニット１０２には、筐体１０１ａの外部から内部に紙幣を投入するための紙幣投入部１１０、紙幣投入部１１０により筐体１０１ａの内部に投入された紙幣を搬送する搬送部１１２、搬送部１１２に設けられ、当該搬送部１１２により搬送される紙幣を識別する識別部１１４、筐体１０１ａの内部から外部に紙幣を投出するための紙幣投出部１１６が設けられている。また、上部ユニット１０２において、搬送部１１２には出金リジェクト部１１８が接続されている。
【００４４】
紙幣投入部１１０には、フィードローラやキッカローラ等の複数のローラが設けられており、操作者によって紙幣投入部１１０に積層状態で載置された紙幣のうち最下層の紙幣がキッカローラによりフィードローラに向かって１枚ずつ蹴り出され、この蹴り出された紙幣がフィードローラにより筐体１０１ａの内部に１枚ずつ繰り出されるようになっている。紙幣投入部１１０により筐体１０１ａの内部に繰り出された紙幣は搬送部１１２により１枚ずつ搬送されるようになっている。また、識別部１１４は、搬送部１１２により搬送される紙幣の金種、真偽、正損、新旧、表裏、搬送状態等の識別を行うようになっている。識別部１１４により識別された紙幣は搬送部１１２によって後述する各収納繰出部１２０に例えば金種毎に送られるようになっている。また、紙幣処理装置１０１において紙幣の出金処理が行われる際に、後述する各収納繰出部１２０から搬送部１１２に繰り出された紙幣のうち筐体１０１ａの外部に投出されるべき紙幣以外の紙幣が出金リジェクト部１１８に送られ、この出金リジェクト部１１８に収納されるようになっている。
【００４５】
また、図４に示すように、搬送部１１２は上部ユニット１０２および下部ユニット１０３をまたがるよう設けられており、下部ユニット１０３において搬送部１１２には複数（図４に示す例では４つ）の収納繰出部１２０が接続されている。各収納繰出部１２０は、搬送部１１２から送られた紙幣を収納するとともに、収納されている紙幣を１枚ずつ搬送部１１２に繰り出すことができるようになっている。より詳細には、各収納繰出部１２０は、１または複数のドラム１２２を有しており、搬送部１１２から送られた紙幣を１枚ずつ一対のテープ間に挟み込んだ状態で当該テープを紙幣とともにドラム１２２に巻き取るようになっている。また、ドラム１２２がテープの巻き取り方向とは逆方向に回転すると、当該ドラム１２２からテープが巻き出されることにより一対のテープ間に挟まれている紙幣が搬送部１１２に１枚ずつ繰り出されるようになる。なお、本実施の形態による紙幣処理装置１０１では、図４に示すようなテープリール式の収納繰出部１２０が用いられる代わりに、紙幣を積み重ねて収納するスタッカ式の収納繰出部が用いられるようになっていてもよい。
【００４６】
また、下部ユニット１０３において搬送部１１２には回収部１３０が設けられており、この回収部１３０は、各収納繰出部１２０に収納された紙幣を回収する際に用いられるようになっている。より具体的には、回収部１３０には、紙幣を収納する紙幣収納袋（図示せず）が着脱自在に装着可能となっており、各収納繰出部１２０から搬送部１１２を経て回収部１３０に送られた紙幣が紙幣収納袋の内部に収納されるようになっている。また、各収納繰出部１２０に割り当てられていない金種の紙幣や、対応する金種の収納繰出部１２０がフル状態のために収納できないオーバーフロー紙幣も、回収部１３０に装着された紙幣収納袋の内部に収納されるようになっている。そして、回収部１３０から紙幣収納袋を取り出すことにより、紙幣処理装置１０１から紙幣収納袋ごと紙幣の回収を行うようになっている。
【００４７】
また、図１に示すように、本実施の形態による貨幣処理システムでは、硬貨処理装置１は架台９０に載置されるようになっており、当該架台９０に載置される硬貨処理装置１の水平方向における向きを１８０°変えることができるようになっている。このような架台９０の構成の詳細について図５および図６を用いて説明する。なお、図５は、硬貨処理装置１が載置される架台９０の構成を示す斜視図であり、図６は、図５に示す架台９０の側面図である。
【００４８】
図５および図６に示すように、架台９０は、位置固定で例えば地面に設けられるベース部９１と、図５における手前側に引き出し可能となっている引出部９４と、ベース部９１の上方に設けられ、引出部９４が収容される収容部９２と、引出部９４の上面に設けられたターンテーブル９６とを有しており、引出部９４は図５における手前側および奥側（すなわち、図６における左右方向）に移動可能となっている。なお、図５および図６は、引出部９４が収容部９２から手前側に引き出されたときの状態を示す図である。より詳細に説明すると、引出部９４の両側面にはガイドレール９３が設けられており、各ガイドレール９３に沿って引出部９４は図５における手前側および奥側に移動するようになっている。また、引出部９４の手前側における底面には左右一対のキャスター９５が設けられており、各キャスター９５により引出部９４の前端部分が支えられるようになっている。また、ターンテーブル９６は鉛直方向に延びる軸を中心として水平面上で回転自在となっており、当該ターンテーブル９６の上面に硬貨処理装置１（図５および図６において二点鎖線で表示）が載置されるようになっている。本実施の形態では、このようなターンテーブル９６は、鉛直方向に延びる軸を中心として硬貨処理装置１を回転させる回転機構として機能するようになっている。具体的には、回転機構としてのターンテーブル９６は、硬貨処理装置１の水平方向における向きを１８０°変えることができるようになっている。また、本実施の形態では、各ガイドレール９３、引出部９４および各キャスター９５は、硬貨処理装置１を水平方向にスライドさせるスライド機構として機能するようになっている。
【００４９】
また、本実施の形態による貨幣処理システムには、架台９０に対する硬貨処理装置１の向きを検知する向き検知部１５２（図７参照）が設けられている。具体的には、向き検知部１５２は、ターンテーブル９６の回転位相に基づいて、架台９０に対する硬貨処理装置１の向きを検知するようになっている。このような向き検知部１５２により、硬貨処理装置１が紙幣処理装置１０１と同じ向きを向いているか（すなわち、硬貨処理装置１の向きが図１に示す状態となっているか）、あるいは硬貨処理装置１が紙幣処理装置１０１と逆の向きを向いているか（すなわち、硬貨処理装置１の向きが図１１や図１２に示す状態となっているか）を検知することができるようになっている。
【００５０】
また、図５および図６に示すように、引出部９４の内部には可撓性を有する線状のランナーフレックス９８が設けられており、紙幣処理装置１０１から硬貨処理装置１に電力を供給するための配線や硬貨処理装置１と紙幣処理装置１０１との間で信号の送受信を行うための信号線がランナーフレックス９８の内部に収容されるようになっている。このようなランナーフレックス９８が設けられていることにより、収容部９２から引出部９４が引き出されても硬貨処理装置１と紙幣処理装置１０１との間を結ぶ配線や信号線が破断してしまうことを防止することができる。また、図６に示すように、ターンテーブル９６の中心には、当該ターンテーブル９６を貫通するよう硬貨処理装置１および引出部９４をまたがって延びる配線収容ケース９９が設けられており、硬貨処理装置１と紙幣処理装置１０１との間を結ぶ配線や信号線が配線収容ケース９９に収容されている。このことにより、ターンテーブル９６が回転しても硬貨処理装置１と紙幣処理装置１０１との間を結ぶ配線や信号線が破断してしまうことを防止することができる。
【００５１】
また、本実施の形態による貨幣処理システムでは、架台９０に載置される硬貨処理装置１の上面の高さレベルと、紙幣処理装置１０１の高さレベルとが略同一の大きさとなっている。また、図１に示すように、硬貨処理装置１および紙幣処理装置１０１が同じ向きに配置される場合にこれらの硬貨処理装置１および紙幣処理装置１０１における硬貨や紙幣の投入口および投出口に近い側である前面が揃うようになっている。
【００５２】
次に、本実施の形態による貨幣処理システムの制御系の構成について図７を用いて説明する。図７に示すように、硬貨処理装置１の筐体１ａの内部には、当該硬貨処理装置１の各構成部材の制御を行うための硬貨制御部８０が設けられている。具体的には、硬貨制御部８０には、硬貨投入部１０、入金搬送部２０、識別部２２、オーバーフロー選別部２３、収納選別部２４、リジェクト選別部２７、貯留繰出部３０、収納繰出部５０、出金搬送部７０等の各構成部材が接続されている。そして、識別部２２による硬貨の識別結果に係る信号が硬貨制御部８０に送られるようになっており、また、硬貨制御部８０は硬貨投入部１０、入金搬送部２０、オーバーフロー選別部２３、収納選別部２４、リジェクト選別部２７、貯留繰出部３０、収納繰出部５０、出金搬送部７０等の各構成部材に指令信号を送ることによりこれらの構成部材の制御を行うようになっている。
【００５３】
また、紙幣処理装置１０１の筐体１０１ａの内部には、当該紙幣処理装置１０１の各構成部材の制御を行うための紙幣制御部１８０と、硬貨制御部８０および紙幣制御部１８０にそれぞれ接続される本体制御部１５０とがそれぞれ設けられている。具体的には、紙幣制御部１８０には、紙幣投入部１１０、搬送部１１２、識別部１１４、各収納繰出部１２０等の各構成部材が接続されている。そして、識別部１１４による紙幣の識別結果に係る信号が紙幣制御部１８０に送られるようになっており、また、紙幣制御部１８０は紙幣投入部１１０、搬送部１１２、各収納繰出部１２０等の各構成部材に指令信号を送ることによりこれらの構成部材の制御を行うようになっている。また、硬貨制御部８０および紙幣制御部１８０と本体制御部１５０とはそれぞれ信号線により接続されている。ここで、上述したように、硬貨制御部８０と本体制御部１５０とを結ぶ信号線は、ランナーフレックス９８および配線収容ケース９９に収容されるようになっている。
【００５４】
また、図７に示すように、本体制御部１５０には向き検知部１５２、記憶部１５４および通信インターフェース部１５６がそれぞれ接続されている。上述したように、架台９０に対する硬貨処理装置１の向きが向き検知部１５２により検知されるようになっており、向き検知部１５２による検知結果が本体制御部１５０に送られるようになっている。また、記憶部１５４には、硬貨処理装置１や紙幣処理装置１０１における硬貨や紙幣の処理内容、および硬貨処理装置１の各収納繰出部５０や紙幣処理装置１０１の各収納繰出部１２０に収納されている硬貨や紙幣の金種毎の在高に係る情報等が記憶されるようになっている。また、本体制御部１５０は通信インターフェース部１５６を介して硬貨処理装置１や紙幣処理装置１０１とは別に設けられた外部装置（具体的には、例えばＰＯＳレジスタ２００）に対して信号の送受信を行うことができるようになっている。また、本実施の形態による貨幣処理システムにおいて、携帯電話やスマートフォン、ｉＰａｄ（登録商標）等の携帯端末２１０を使用することができるようになっている場合には、本体制御部１５０は通信インターフェース部１５６を介して携帯端末２１０に対して信号の送受信を行うことができるようになっている。
【００５５】
次に、このような構成からなる貨幣処理システムにおいて硬貨処理装置１の水平方向における向きを変える際の動作について図１および図８乃至図１２を用いて説明する。
【００５６】
図１は、硬貨処理装置１および紙幣処理装置１０１が同じ向きとなっているときの状態を示す斜視図である。より詳細には、上述したように、硬貨処理装置１および紙幣処理装置１０１が同じ向きに配置される場合に、これらの硬貨処理装置１および紙幣処理装置１０１における硬貨や紙幣の投入口および投出口に近い側である前面が揃うようになっている。このように、硬貨処理装置１および紙幣処理装置１０１が同じ向きとなっている場合には、店舗の係員は硬貨処理装置１および紙幣処理装置１０１において図１における手前側からそれぞれ硬貨および紙幣の処理を行うことができるようになる。
【００５７】
また、本実施の形態による貨幣処理システムが設置される店舗において、通常時は硬貨処理装置１および紙幣処理装置１０１の両方を店舗の係員側に向けて配置しておき、繁忙期の時間帯のみ硬貨処理装置１だけを顧客側に向けて配置し、顧客が硬貨処理装置１により硬貨の処理を行うようにしたい場合がある。このような場合には、硬貨処理装置１の水平方向における向きを１８０°変えることにより、顧客が硬貨処理装置１により硬貨の処理を行うことができるようにする。具体的には、まず、図８に示すように、操作者は手動で架台９０の引出部９４を収容部９２から手前側に引き出し、この引出部９４に載置されている硬貨処理装置１を紙幣処理装置１０１の前面よりも手前側に位置するようにする。その後、図９および図１０に示すように、操作者は手動で硬貨処理装置１の水平方向における向きを１８０°変えるようにする。より詳細には、引出部９４の上面にはターンテーブル９６が設けられており、このターンテーブル９６は鉛直方向に延びる軸を中心として水平面に沿って回転自在となっている。そして、ターンテーブル９６の上面に硬貨処理装置１が載置されている。このため、ターンテーブル９６が鉛直方向に延びる軸を中心として１８０°回転すると、硬貨処理装置１の水平方向における向きが１８０°変わるようになる。
【００５８】
その後、図１１に示すように操作者は手動で架台９０の引出部９４をベース部９１に向かって押し込む。このことにより、硬貨処理装置１の後面（すなわち、図１１における手前側の面）と、紙幣処理装置１０１の前面とが揃うようになる。その後、図１２に示すように操作者は手動で架台９０の引出部９４を更に奥側に押し込む。このことにより、硬貨処理装置１の前面（すなわち、図１１における奥側の面）と、紙幣処理装置１０１の後面とが揃うようになる。この場合には、硬貨処理装置１で硬貨の処理を行う顧客側（すなわち、図１２における後面側）から見て、硬貨処理装置１および紙幣処理装置１０１の側面が揃うようになる。すなわち、硬貨処理装置１および紙幣処理装置１０１が逆の向きに配置される場合にこれらの２つの硬貨処理装置１および紙幣処理装置１０１における顧客側の側面が揃うようになる。このことにより、図１１に示すような顧客側から見て硬貨処理装置１が紙幣処理装置１０１よりも奥側に位置するような状態と比較して、図１２に示す硬貨処理装置１の状態では顧客は当該硬貨処理装置１により硬貨の処理を行いやすくなる。
【００５９】
このように、本実施の形態による貨幣処理システムでは、硬貨処理装置１は３つの位置の間でスライド機構（具体的には、各ガイドレール９３、引出部９４および各キャスター９５）によりスライドするようになっている。このような硬貨処理装置１の３つの位置について図１３を用いて説明する。なお、図１３において、左側が店舗の係員側となっており、右側が顧客側となっている。図１３に示すように、硬貨処理装置１は、当該硬貨処理装置１および紙幣処理装置１０１が逆の向きに配置される場合にこれらの硬貨処理装置１および紙幣処理装置１０１における顧客側の側面が揃う第１位置Ｐ１と、硬貨処理装置１および紙幣処理装置１０１が同じ向きに配置される場合にこれらの２つの硬貨処理装置１および紙幣処理装置１０１における硬貨や紙幣の投入口および投出口に近い側である前面が揃う第２位置Ｐ２と、水平方向における硬貨処理装置１の向きをターンテーブル９６により変えることができる第３位置Ｐ３との間で引出部９４によりスライドするようになっている。ここで、硬貨処理装置１および紙幣処理装置１０１が図１２に示すような状態となっている場合には、当該硬貨処理装置１は図１３における第１位置Ｐ１に位置している。また、硬貨処理装置１および紙幣処理装置１０１が図１に示すような状態となっている場合には、当該硬貨処理装置１は図１３における第２位置Ｐ２に位置している。また、硬貨処理装置１および紙幣処理装置１０１が図８に示すような状態となっている場合には、当該硬貨処理装置１は図１３における第３位置Ｐ３に位置している。このように、硬貨処理装置１が３つの位置の間でスライド機構としての各ガイドレール９３、引出部９４および各キャスター９５によりスライドするようになっている場合には、第１位置Ｐ１および第２位置Ｐ２において硬貨処理装置１および紙幣処理装置１０１の側面を顧客側および店舗の係員側でそれぞれ揃えることができることができ、しかも第３位置Ｐ３において硬貨処理装置１の水平方向における向きを紙幣処理装置１０１に衝突することなく１８０°変えることができるようになる。
【００６０】
また、本実施の形態による貨幣処理システムでは、架台９０に対する硬貨処理装置１の向きが向き検知部１５２により検知されるようになっており、検知結果に係る情報がＰＯＳレジスタ２００のモニタや携帯端末２１０の表示画面に表示されるようになっている。具体的には、図１に示すように硬貨処理装置１が店舗の係員側を向いている場合には、係員により硬貨処理装置１および紙幣処理装置１０１において硬貨および紙幣の処理が可能である旨のメッセージ等がＰＯＳレジスタ２００のモニタ等に表示されるようになる。また、図１２に示すように硬貨処理装置１が顧客側を向いている場合には、顧客により硬貨処理装置１において硬貨の処理が可能である旨のメッセージ等がＰＯＳレジスタ２００のモニタや図示しない外部の表示装置等に表示されるようになる。
【００６１】
また、本実施の形態の貨幣処理システムでは、架台９０に対する硬貨処理装置１の向きに応じて異なる態様で貨幣の処理が行われるようになっている。具体的には、図１に示すように硬貨処理装置１が店舗の係員側を向いている場合には硬貨処理装置１や紙幣処理装置１０１において硬貨や紙幣の装填処理（すなわち、釣銭として用いられるべき硬貨や紙幣を硬貨投入部１０や紙幣投入部１１０により筐体１ａ、１０１ａの内部に投入して収納繰出部５０、１２０に収納させる処理）を行うことができるが、図１２に示すように硬貨処理装置１が顧客側を向いている場合には硬貨処理装置１において硬貨の装填処理を行うことができないようになっている。上述したように、硬貨処理装置１が顧客側を向いている場合には顧客によって硬貨処理装置１への硬貨の入金処理として硬貨が投入されるが、この際に、投入された硬貨を、装填処理のために投入された硬貨として誤って処理することを防止するためである。より詳細には、向き検知部１５２により検知された架台９０に対する硬貨処理装置１の向きに基づいて、硬貨処理装置１において硬貨や紙幣の装填処理を実行することができるか否かを本体制御部１５０が判別するようになっており、このような本体制御部１５０による判別結果に係る情報が硬貨制御部８０に送られるようになっている。そして、硬貨制御部８０は、本体制御部１５０による判別結果に基づいて、硬貨処理装置１の各構成部材を制御することにより、硬貨処理装置１において硬貨の装填処理を行うことが選択的に禁止されるようになっている。
【００６２】
また、本実施の形態では、図１に示すように硬貨処理装置１が店舗の係員側を向いている場合には硬貨処理装置１においてオーバーフロー硬貨を収納するオーバーフロー硬貨収納部としての回収ボックス７８を使用することができないが、図１２に示すように硬貨処理装置１が顧客側を向いている場合には硬貨処理装置１においてオーバーフロー硬貨収納部としての回収ボックス７８を使用することができるようになっていてもよい。より詳細には、向き検知部１５２により検知された架台９０に対する硬貨処理装置１の向きに基づいて、オーバーフロー硬貨を回収ボックス７８に送ることができるか否かを本体制御部１５０が判別するようになっており、このような本体制御部１５０による判別結果に係る情報が硬貨制御部８０に送られるようになっている。そして、硬貨制御部８０は、本体制御部１５０による判別結果に基づいて、硬貨処理装置１の各構成部材を制御することにより、硬貨処理装置１においてオーバーフロー硬貨を回収ボックス７８に送ることが選択的に禁止されるようになっている。具体的には、図１に示すように硬貨処理装置１が店舗の係員側を向いていることが向き検知部１５２により検知された場合には、出金搬送部７０の無端状ベルト７０ｐが図２における反時計回りの方向のみに循環移動するようになり、このことにより出金搬送部７０から回収ボックス７８に硬貨が送られなくなる。ここで、顧客により硬貨処理装置１において硬貨の入金処理が行われる際に、各収納繰出部５０に収納することができないようなオーバーフロー硬貨が生じた場合にはこのオーバーフロー硬貨を回収ボックス７８に送ることによって硬貨の入金処理を中断させないようにする必要がある。一方、店舗の係員により硬貨処理装置１において硬貨の入金処理や装填処理が行われる際に、各収納繰出部５０に収納することができないようなオーバーフロー硬貨が生じた場合には、硬貨の入金処理や装填処理を中断させ、入金や装填できない硬貨を、係員に手持ち管理させる。そして、フル状態またはニアフル状態となっている収納繰出部５０から硬貨を繰り出して筐体１ａの外部に投出することにより、硬貨の回収や釣銭の払い出しを行う。そして、オーバーフロー硬貨であると判別された硬貨の金種に対応する収納繰出部５０に空き領域が形成された後に、手持ち管理していた硬貨の入金処理や装填処理を再開させることにより、当該硬貨を収納繰出部５０に収納することができるようになる。
【００６３】
また、本実施の形態では、図１に示すように硬貨処理装置１が店舗の係員側を向いている場合には貨幣の入金開始の指令が受け付けられないと硬貨処理装置１において硬貨の入金処理を開始することができないが、図１２に示すように硬貨処理装置１が顧客側を向いている場合には硬貨投入部１０に硬貨が投入されたことを検知すると硬貨処理装置１において硬貨の入金処理を開始することができるようになっていてもよい。より詳細には、向き検知部１５２により検知された架台９０に対する硬貨処理装置１の向きに基づいて、硬貨投入部１０に硬貨が投入されると硬貨処理装置１において硬貨の入金処理を開始することができるか否かを本体制御部１５０が判別するようになっており、このような本体制御部１５０による判別結果に係る情報が硬貨制御部８０に送られるようになっている。そして、硬貨制御部８０は、本体制御部１５０による判別結果に基づいて、硬貨処理装置１の各構成部材を制御することにより、硬貨投入部１０に硬貨が投入されると硬貨処理装置１において硬貨の入金処理を開始するか、あるいは貨幣の入金開始の指令が受け付けられたことを条件として硬貨処理装置１において硬貨の入金処理を開始するようになる。ここで、顧客により硬貨処理装置１において硬貨の入金処理が行われる際には、顧客にとっての利便性を向上させるために、当該顧客が硬貨の入金処理の指令を入力しなくても硬貨投入部１０に硬貨が投入されるだけで硬貨の入金処理を開始することができるようにすることが望ましい。これに対し、店舗の係員により硬貨処理装置１において硬貨の入金処理や装填処理が行われる際には、誤って硬貨投入部１０に硬貨が投入された場合に当該硬貨の入金処理が行われてしまうことを防止するために、また、入金処理と装填処理とを明確に区別するために、貨幣の入金開始の指令が受け付けられたことを条件として硬貨処理装置１において硬貨の入金処理を開始することができるようにすることが望ましい。
【００６４】
また、本実施の形態では、硬貨処理装置１における複数の収納繰出部５０のうちある一つの収納繰出部５０が偽硬貨を収納するための偽硬貨収納部として用いられるようになっていてもよい。硬貨処理装置１においてこのような運用が行われるときに、図１に示すように硬貨処理装置１が店舗の係員側を向いている場合には筐体１ａの内部に投入された偽硬貨を偽硬貨収納部以外の箇所（例えば、硬貨投出部７２や回収ボックス７８）にも送ることができるようになっているが図１２に示すように硬貨処理装置１が顧客側を向いている場合には筐体１ａの内部に投入された偽硬貨を偽硬貨収納部のみに送るようになっていてもよい。より詳細には、向き検知部１５２により検知された架台９０に対する硬貨処理装置１の向きに基づいて、偽硬貨の搬送先を本体制御部１５０が判別するようになっており、このような本体制御部１５０による判別結果に係る情報が硬貨制御部８０に送られるようになっている。そして、硬貨制御部８０は、本体制御部１５０による判別結果に基づいて、硬貨処理装置１の各構成部材を制御することにより、硬貨処理装置１において偽硬貨を偽硬貨収納部に送るかあるいは偽硬貨収納部以外の箇所（例えば、硬貨投出部７２や回収ボックス７８）に送るかを決定するようにする。ここで、顧客により硬貨処理装置１において硬貨の入金処理が行われる際には、筐体１ａの内部に投入された偽硬貨を筐体１ａの外部に投出させることなく硬貨処理装置１の筐体１ａの内部で、真硬貨と区別して保管しておく必要があるため、筐体１ａの内部に投入された偽硬貨を偽硬貨収納部のみに送るようにする。これに対し、店舗の係員により硬貨処理装置１において硬貨の入金処理や装填処理が行われる際に、筐体１ａの内部に偽硬貨が投入された場合に、この偽硬貨を偽硬貨収納部に送らずに硬貨投出部７２に送って、この店舗の係員が偽硬貨を回収して保管しておくようにしてもよい。また、偽硬貨を保管する必要がない場合は、この偽硬貨を回収ボックス７８に送り、釣銭貨幣として出金されないようにすることができるようになる。
【００６５】
また、本実施の形態では、硬貨処理装置１の硬貨投出部７２において硬貨の投出口を開閉するためのシャッター（図示せず）が設けられているときに、図１に示すように硬貨処理装置１が店舗の係員側を向いている場合にはシャッターが使用されずに硬貨投出部７２に常にアクセス可能な状態となっているが、図１２に示すように硬貨処理装置１が顧客側を向いている場合にはシャッターが使用されるようになっていてもよい。より詳細には、向き検知部１５２により検知された架台９０に対する硬貨処理装置１の向きに基づいて、硬貨投出部７２に設けられた硬貨の投出口を開閉するためのシャッターを使用するか否かを本体制御部１５０が判別するようになっており、このような本体制御部１５０による判別結果に係る情報が硬貨制御部８０に送られるようになっている。そして、硬貨制御部８０は、本体制御部１５０による判別結果に基づいて、硬貨処理装置１の各構成部材を制御することにより、硬貨投出部７２に設けられた硬貨の投出口を開閉するためのシャッターが選択的に使用されるようになる。ここで、顧客により硬貨処理装置１において硬貨の出金処理が行われる際には、硬貨投出部７２において硬貨の投出口を開閉するためのシャッターが用いられることにより、例えば顧客が硬貨投出部７２から硬貨を取り忘れた場合にはシャッターを閉じることによって他の顧客によって硬貨投出部７２から硬貨が誤って取り出されてしまうことを防止することができるようになる。一方、店舗の係員により硬貨処理装置１において硬貨の出金処理が行われる際には、硬貨投出部７２において硬貨の投出口を開閉するためのシャッターを使用しなくても特段の不都合はないため、シャッターを使用しないことにより店舗の係員にとっての硬貨の処理を簡略化することができるようになる。
【００６６】
また、本実施の形態では、硬貨処理装置１の硬貨投出部７２に残存する取り忘れ硬貨を筐体１ａの内部に取り込む取込機構（図示せず）が硬貨投出部７２に設けられていてもよい。硬貨処理装置１においてこのような取込機構が硬貨投出部７２に設けられているときに、図１に示すように硬貨処理装置１が店舗の係員側を向いている場合には硬貨投出部７２に残存する取り忘れ硬貨が取込機構によって筐体１ａの内部に取り込まれないが、図１２に示すように硬貨処理装置１が顧客側を向いている場合には硬貨投出部７２に残存する取り忘れ硬貨を取込機構によって筐体１ａの内部に取り込むことができるようになっていてもよい。より詳細には、向き検知部１５２により検知された架台９０に対する硬貨処理装置１の向きに基づいて、硬貨投出部７２に設けられた取込機構を使用するか否かを本体制御部１５０が判別するようになっており、このような本体制御部１５０による判別結果に係る情報が硬貨制御部８０に送られるようになっている。そして、硬貨制御部８０は、本体制御部１５０による判別結果に基づいて、硬貨処理装置１の各構成部材を制御することにより、硬貨投出部７２に設けられた取込機構が選択的に使用されるようになる。ここで、顧客により硬貨処理装置１において硬貨の出金処理が行われる際には、顧客が硬貨投出部７２から硬貨を取り忘れた場合に、硬貨投出部７２に残存する取り忘れ硬貨を取込機構によって筐体１ａの内部に取り込むことにより他の顧客によって硬貨投出部７２から硬貨が誤って取り出されてしまうことを防止することができるようになる。一方、店舗の係員により硬貨処理装置１において硬貨の出金処理が行われる際には、硬貨投出部７２に残存する取り忘れ硬貨が他の顧客によって誤って取り出されてしまうことがないので、取り忘れ硬貨を取込機構によって筐体１ａの内部に取り込まなくても特段の不都合はない。この場合には、取込機構を使用しないことにより店舗の係員にとっての硬貨の処理を簡略化することができるようになる。
【００６７】
また、本実施の形態では、図１に示すように硬貨処理装置１が店舗の係員側を向いている場合と図１２に示すように硬貨処理装置１が顧客側を向いている場合とで識別部２２による硬貨の識別結果に基づいて偽硬貨であるか否かを判別する際の閾値が異なるようになっていてもよい。具体的には、顧客により硬貨処理装置１において硬貨の入金処理が行われる場合における偽硬貨であるか否かを本体制御部１５０が判別する際の閾値を、店舗の係員により硬貨処理装置１において硬貨の入金処理が行われる場合における偽硬貨であるか否かを本体制御部１５０が判別する際の閾値よりも厳しい値とすることにより、硬貨処理装置１において硬貨の入金処理が行われる際に顧客が硬貨投入部１０に偽硬貨を投入した場合にはこの偽硬貨をより確実に検出することができるようになる。一方、店舗の係員により硬貨処理装置１において硬貨の入金処理が行われる場合に、店舗の係員が硬貨の真偽を目視確認することにより、釣銭として用いられるべき硬貨として偽硬貨が硬貨投入部１０に投入される可能性は低いと考えられるため、店舗の係員により硬貨処理装置１において硬貨の入金処理が行われる場合における偽硬貨であるか否かを本体制御部１５０が判別する際の閾値を低くしても特段の問題はない。
【００６８】
また、本実施の形態では、図１に示すように硬貨処理装置１が店舗の係員側を向いている場合と図１２に示すように硬貨処理装置１が顧客側を向いている場合とで出金可能な硬貨の枚数の上限値が異なるようになっていてもよい。具体的には、顧客により硬貨処理装置１において硬貨の出金処理が行われる場合には、出金可能な硬貨の枚数の上限値を所定の値とすることにより、硬貨が無制限に出金されてしまうことを防止することができる。一方、店舗の係員により硬貨処理装置１において硬貨の出金処理が行われる場合には、出金可能な硬貨の枚数の上限値を設けず、硬貨を無制限に出金することができるようにすることが望ましい。店舗の係員により硬貨処理装置１において例えば硬貨の回収処理が行われる際には、各収納繰出部５０から硬貨が全て繰り出されて硬貨投出部７２や回収ボックス７８に送られるようになるため、出金可能な硬貨の枚数の上限値を設けた場合には各収納繰出部５０に収納されている硬貨を全て回収することができなくなるおそれがあるからである。
【００６９】
以上のような構成からなる本実施の形態による貨幣処理システムによれば、貨幣処理装置（具体的には、硬貨処理装置１）が載置される架台９０には、当該貨幣処理装置の水平方向における向きを変える向き変更機構が設けられている。この場合には、貨幣処理装置の水平方向における向きを容易に変えることができる。より詳細に説明すると、従来の貨幣処理システムでは、貨幣処理装置（具体的には、硬貨処理装置）の重量が大きいため当該貨幣処理装置の向きを頻繁に変えることが容易ではなかった。とりわけ、複数の貨幣処理装置を並べて配置したり、貨幣処理装置を他の機器や壁に隣接して配置した場合には、隣接する他の貨幣処理装置や機器等が邪魔になるため、貨幣処理装置の向きを変えるのは困難であった。これに対し、本実施の形態による貨幣処理システムでは、貨幣処理装置が載置される架台９０に、当該貨幣処理装置の水平方向における向きを変える向き変更機構を設けることにより、貨幣処理装置の水平方向における向きを容易に変えることができるようになる。
【００７０】
また、本実施の形態による貨幣処理システムにおいては、上述したように、架台９０に対する貨幣処理装置（具体的には、硬貨処理装置１）の向きを検知する向き検知部１５２が設けられている。この場合には、架台９０に対する貨幣処理装置の向きが自動で本体制御部１５０等により認識されるようになる。
【００７１】
また、本実施の形態による貨幣処理システムにおいては、上述したように、向き変更機構は、鉛直方向に延びる軸を中心として貨幣処理装置（具体的には、硬貨処理装置１）を回転させる回転機構（具体的には、ターンテーブル９６）を含んでいる。この場合には、鉛直方向に延びる軸を中心としてターンテーブル９６を回転させることにより貨幣処理装置の水平方向における向きを容易に変えることができることができるようになる。また、この場合、ターンテーブル９６等から構成される回転機構は、貨幣処理装置の水平方向における向きを１８０°変えることができるようになっている。
【００７２】
また、本実施の形態による貨幣処理システムにおいては、上述したように、架台９０には、貨幣処理装置（具体的には、硬貨処理装置１）を水平方向にスライドさせるスライド機構（具体的には、各ガイドレール９３、引出部９４および各キャスター９５）が設けられている。この場合には、貨幣処理装置を回転させる前に、並列して設けられた他の貨幣処理装置（具体的には、紙幣処理装置１０１）から遠ざけるよう当該貨幣処理装置をスライドさせることにより、貨幣処理装置を回転させる際に他の貨幣処理装置と衝突してしまうことを防止することができるようになる。
【００７３】
また、本実施の形態による貨幣処理システムにおいては、上述したように、２つの貨幣処理装置（具体的には、硬貨処理装置１および紙幣処理装置１０１）が隣接して配置されており、少なくとも一方の貨幣処理装置（具体的には、硬貨処理装置１）が、向き変更機構が設けられた架台９０に載置されている。この場合には、通常時は硬貨処理装置１および紙幣処理装置１０１の両方を店舗の係員側に向けて配置しておき、繁忙期の時間帯のみ一方の貨幣処理装置（具体的には、硬貨処理装置１）だけを顧客側に向けて配置することができるようになる。
【００７４】
また、本実施の形態による貨幣処理システムにおいては、上述したように、各貨幣処理装置の上面の高さレベルが略同一の大きさとなっている。すなわち、架台９０に載置された硬貨処理装置１の上面の高さレベルと、紙幣処理装置１０１の上面の高さレベルとが略同一の大きさとなっている。この場合には、硬貨処理装置１および紙幣処理装置１０１から構成される貨幣処理システムの外観の見栄えが良くなる。
【００７５】
また、本実施の形態による貨幣処理システムにおいては、上述したように、２つの貨幣処理装置が同じ向きに配置される場合に（図１参照）、これらの２つの貨幣処理装置における貨幣の投入口および投出口に近い側である前面（すなわち、図１における手前側の側面）が揃うようになっている。この場合には、硬貨処理装置１および紙幣処理装置１０１から構成される貨幣処理システムを店舗の係員側から見たときの外観の見栄えが良くなる。
【００７６】
また、本実施の形態による貨幣処理システムにおいては、上述したように、少なくとも一方の貨幣処理装置（具体的には、硬貨処理装置１）が載置される架台９０には、当該貨幣処理装置を水平方向にスライドさせるスライド機構（具体的には、各ガイドレール９３、引出部９４および各キャスター９５）が設けられており、２つの貨幣処理装置が逆の向きに配置される場合に（図１２参照）、これらの２つの貨幣処理装置における顧客側の側面（すなわち、図１２に示す奥側の面）が揃うようになっている。この場合には、硬貨処理装置１および紙幣処理装置１０１から構成される貨幣処理システムを顧客側から見たときの外観の見栄えが良くなる。また、図１１に示すような顧客側から見て硬貨処理装置１が紙幣処理装置１０１よりも奥側に位置するような状態と比較して、図１２に示す硬貨処理装置１の状態では顧客は当該硬貨処理装置１により硬貨の処理を行いやすくなる。また、この場合には、向き変更機構およびスライド機構が設けられた架台９０に載置される貨幣処理装置（具体的には、硬貨処理装置１）は、２つの貨幣処理装置が逆の向きに配置される場合にこれらの２つの貨幣処理装置における顧客側の側面が揃う第１位置Ｐ１と、２つの貨幣処理装置が同じ向きに配置される場合にこれらの２つの貨幣処理装置における貨幣の投入口および投出口に近い側である前面が揃う第２位置Ｐ２と、水平方向における向きを向き変更機構により変えることができる第３位置Ｐ３との間でスライド機構によりスライドするようになっていてもよい。このことにより、第１位置Ｐ１および第２位置Ｐ２において硬貨処理装置１および紙幣処理装置１０１の側面を顧客側および店舗の係員側でそれぞれ揃えることができることができ、しかも第３位置Ｐ３において硬貨処理装置１の水平方向における向きを紙幣処理装置１０１に衝突することなく１８０°変えることができるようになる。
【００７７】
また、本実施の形態による貨幣処理システムにおいては、上述したように、２つの貨幣処理装置（具体的には、硬貨処理装置１および紙幣処理装置１０１）を接続するための配線が設けられており、この配線は、向き変更機構（具体的には、ターンテーブル９６）が設けられた架台９０と当該架台９０に載置される貨幣処理装置（具体的には、硬貨処理装置１）との間で向き変更機構を介して受け渡されるようになっている。この場合には、２つの貨幣処理装置（具体的には、硬貨処理装置１および紙幣処理装置１０１）を配線で接続した状態を維持しながら、向き変更機構により貨幣処理装置の水平方向における向きを変えることができるようになる。
【００７８】
また、本実施の形態による貨幣処理システムにおいては、上述したように、架台９０に対する貨幣処理装置（具体的には、硬貨処理装置１）の向きに応じて異なる態様で貨幣の処理を行うようになっていてもよい。この際に、向き検知部１５２により検知された架台９０に対する硬貨処理装置１の向きに基づいて、貨幣の処理を行う際の態様が自動で変えられるようになっていてもよい。
【００７９】
なお、本実施の形態による貨幣処理システムは、上述したような態様に限定されることはなく、様々な変更を加えることができる。
【００８０】
例えば、向き変更機構が設けられた架台９０に硬貨処理装置１が載置される代わりに、向き変更機構が設けられた架台９０に紙幣処理装置１０１が載置されるようになっており、紙幣処理装置１０１の水平方向における向きが向き変更機構により変えられるようになっていてもよい。
【００８１】
また、図１に示す貨幣処理システムでは硬貨処理装置１および紙幣処理装置１０１が左右に並ぶよう設けられているが、硬貨処理装置１または紙幣処理装置１０１が単体で用いられ、この単体で用いられる硬貨処理装置１または紙幣処理装置１０１が、向き変更機構が設けられた架台９０に載置されるようになっていてもよい。
【００８２】
また、向き変更機構が設けられた架台９０において、各ガイドレール９３、引出部９４および各キャスター９５から構成されるスライド機構の設置が省略されるようになっていてもよい。すなわち、スライド機構が設けられず、ターンテーブル９６等の向き変更機構のみが設けられ、貨幣処理装置の水平方向における向きを当該向き変更機構により変えることができるような構成の架台が用いられてもよい。
【符号の説明】
【００８３】
１        硬貨処理装置
１ａ      筐体
３        回収ボックス収容部
１０      硬貨投入部
２０      入金搬送部
２０ｐ    無端状ベルト
２２      識別部
２３      オーバーフロー選別部
２４      収納選別部
２５      オーバーフローシュート
２６      シュート
２７      リジェクト選別部
３０      貯留繰出部
３２      回転円盤
３２ｂ    表面
３３      硬貨貯留空間
３４      カバー部材
５０      収納繰出部
５２      回転円盤
５２ｂ    表面
５３      硬貨収納空間
５４      カバー部材
７０      出金搬送部
７０ａ    第１の出金搬送部分
７０ｂ    第２の出金搬送部分
７０ｐ    無端状ベルト
７２      硬貨投出部
７８      回収ボックス
８０      硬貨制御部
９０      架台
９１      ベース部
９２      収容部
９３      ガイドレール
９４      引出部
９５      キャスター
９６      ターンテーブル
９８      ランナーフレックス
９９      配線収容ケース
１０１    紙幣処理装置
１０１ａ  筐体
１０２    上部ユニット
１０３    下部ユニット
１１０    紙幣投入部
１１２    搬送部
１１４    識別部
１１６    紙幣投出部
１１８    出金リジェクト部
１２０    収納繰出部
１２２    ドラム
１３０    回収部
１５０    本体制御部
１５２    向き検知部
１５４    記憶部
１５６    通信インターフェース部
１８０    紙幣制御部
２００    ＰＯＳレジスタ
２１０    携帯端末
【図１】
2017204153.tif 000003
【図２】
2017204153.tif 000004
【図３】
2017204153.tif 000005
【図４】
2017204153.tif 000006
【図５】
2017204153.tif 000007
【図６】
2017204153.tif 000008
【図７】
2017204153.tif 000009
【図８】
2017204153.tif 000010
【図９】
2017204153.tif 000011
【図１０】
2017204153.tif 000012
【図１１】
2017204153.tif 000013
【図１２】
2017204153.tif 000014
【図１３】
2017204153.tif 000015